(57)【特許請求の範囲】
【請求項１】
フロアに載置するための前後ホイール（３ａ、３ｂ、４ａ、４ｂ）を備えており、ラベリングマシンのラベリングステーションを支持するための、トロリーであって、
前記トロリーは縦ロッド（６）を備えており、
前記縦ロッド（６）は、後端部に自身の軸線回りに回転を生じるように構成された手段を備えると共に、前端部に円錐状の先端（８ａ）を有する、ねじ部（８）を備えており、且つ、横軸（９ａ）で前記トロリーに枢支されているブッシュ（９）に関連付けられており、且つ、それに対して少なくとも回転可能であり、
前記ねじ部（８）は、収容ブッシュ（１３）の、円錐状のガイド部（１３ｂ）が設けられた雌ねじ（１３ａ）の一部に噛合するように構成されており、
前記収容ブッシュ（１３）は、前記ラベリングマシンの本体（５）から突出する平面部（１４）に固定されており、
前記平面部（１４）は、少なくとも１つのランプ（１５ａ、１５ｂ）と、前記トロリーに設けられたセンタリング手段に対する当接手段と、を備えており、
前記ランプ（１５ａ、１５ｂ）は、前記トロリーの前端部に設けられたホイール（１６ａ、１６ｂ）それぞれによって、クロスされるように構成されていることを特徴とする、トロリー。
【請求項２】
スプリング（１０）を備えており、
前記スプリング（１０）は、前記ロッド（６）と同軸であり、且つ、前記トロリーに枢支された前記ブッシュ（９）に接触する第１の自由ブッシング（１０ａ）に当接する前端部と、前記端部の方向に向いた面で前記ロッド（６）と一体化している手段に接触する第２の自由ブッシング（１０ｂ）に当接する後端部と、を備えており、
前記スプリング（１０）によって、前記ロッド（６）の、前記トロリーの構造体に枢支されている前記ブッシュ（９）に対する回転及び並進動作のいずれもが可能となっている、
請求項１に記載のトロリー。
【請求項３】
２つの当接部を備えており、
前記当接部は、前記ロッド（６）と一体化しており、且つ、両側部において、前記ブッシュ（９）に対して前記ロッド（６）の回転動作のみを可能とするように、前記トロリーに枢支されているブッシュ（９）に接触している、
請求項１に記載のトロリー。
【請求項４】
前記ラベリングマシンの前記本体から突出する前記平面部（１４）は、２つのランプ（１５ａ、１５ｂ）を備えており、
前記２つのランプ（１５ａ、１５ｂ）は、雌ねじ部（１３ａ）を有する収容ブッシュ（１３）に対して対称的に配置されており、且つ、前記トロリーの前端部にあるそれぞれのホイール（１６ａ、１６ｂ）に接触するように構成されており、
前記平面部（１４）は、凹部（１８）を備えており、
前記凹部（１８）は、前記平面部（１４）に対する前記トロリーの中央配置を確かなものにするように、前記トロリーにある、縦軸を有するローラ（１７）を受け入れるように構成されている、
請求項１〜３のいずれか１つに記載のトロリー。
【発明の詳細な説明】
【技術分野】
【０００１】
本発明は、ラベリングマシンのラベリングステーションを支持するためのトロリーに関する。
【背景技術】
【０００２】
マシンの本体に固定するために本体の近くに持ってこられた、ホイールを備えたトロリーによって、ラベリングステーションが支持されている、カルーセルラベリングマシンがあることが、知られている。このように、単一のマシンに、異なるラベリングステーション、例えば予め糊付けされたラベルを備えたステーション、又は熱いか冷たい糊を用いて糊付けする装置を備えたステーションを提供することが可能となっており、この結果、かなりのコスト節約が達成されている。
【０００３】
ラベリングマシンの本体へトロリーを固定するシステムは、公知技術分野において、たくさんの問題点を呈している。
【０００４】
実際、トロリーがホイールをフロアと接触させながら固定されている、単純化されたマシンがあり、この結果、作動に要求される正確性を減じ得るフロアの欠陥を反映している。
【０００５】
複雑なマシンにおいて、適応された装置でトロリーの全体を持ち上げた後に、固定が起こるが、このケースではコストはむしろ高い。
【発明の概要】
【発明が解決しようとする課題】
【０００６】
本発明の目的は、ラベリングマシンの本体に固定されるのに役立つトロリーに、非常に簡単な手段で最大の正確性を提供することである。
【課題を解決するための手段】
【０００７】
設定された目標は、次の請求の範囲に係る特徴を備えていることを特徴とする本発明に係る、ラベリングマシンのラベリングステーションを支持するためのトロリーによって成し遂げられる。
【０００８】
本発明のさらなる特徴及び利点は、添付された図面の非限定例として説明される、２つの好ましいが排他的ではない本発明の実施形態からより明らかになる。
【図面の簡単な説明】
【０００９】
【図１】図１はトロリー及びラベリングマシンの全体図である。
【図２】図２は図１の詳細図である。
【図３】図３は作動時の３つの連続した瞬間の１つの図である。
【図４】図４は作動時の３つの連続した瞬間の１つの図である。
【図５】図５は作動時の３つの連続した瞬間の１つの図である。
【図６】図６は本発明の変形例の図である。
【発明を実施するための形態】
【００１０】
図１〜図５を参照して、参照符合１は、ラベリングステーション２を支持するためのトロリーを概して示しており、それ自体は知られているが、それは、説明される例において、予め糊付けされたラベルを使用するようにデザインされている。
【００１１】
トロリー１は、例えば４つのホイールを備えており、特に、説明される方法による後の固定のために、ラベル貼りされる個々のコンテナを支持するためのパン５ａが見られる、カルーセルラベリングマシンの本体５の近くに、持ってくることを可能にする前ホイール３ａ、３ｂと、後ホイール４ａ、４ｂと、を備えている。
【００１２】
トロリー１は縦ロッド６を備えており、縦ロッド６は、後端部に例えばハンドル７によって構成される、自身の軸線回りにその回転を生じるように構成された手段を備えており、且つ、前端部に円錐状の先端８ａを有するねじ部８を備えている。
【００１３】
ロッド６は、横軸９ａでトロリーの構造体に枢支されているブッシュ９に関連付けられており、それに対して回転し且つ並進的に移動可能となっている。さらに、スプリング１０が設けられており、それは、ロッド６と同軸であって、ブッシュ９に接触する自由ブッシング１０ａに当接する前端部と、例えば、シーガーリング１１によって構成され、且つ、ロッド６に関連づけられた、ハンドル７の方向を向いた面でロッド６と一体化された手段に接触する、第２の自由ブッシング１０ｂに当接する後端部と、を有している。第２のシーガーリングは１２で示されている。
【００１４】
ロッド６のねじ部８は、収容ブッシュ１３の、円錐状のガイド部１３ｂに設けられた雌ねじ部１３ａに噛合するように構成されている。前記収容ブッシュ１３は、平面部１４に固定されている。平面部１４はラベリングマシンの本体５から突出しており、且つ、例えばボルト１４ａ、１４ｂでそこに係止されている。
【００１５】
平面部１４は、少なくとも１つのランプも備えており、より好ましくは、２つのランプ１５ａ、１５ｂを備えている。２つのランプ１５ａ、１５ｂは、ブッシュ１３に対して対称的に配置されており、且つ、作動の記述でより詳細に説明されるように、トロリー１の前端部に設けられたホイール１６ａ、１６ｂそれぞれに接触するようになっている。
【００１６】
センタリング手段が、トロリーの正確な位置決めを確かにするために設けられており、例えば、ローラ１７を備えている。ローラ１７は、トロリー上にあり、且つ、形成された凹部１８に入るように構成されている。凹部１８は、平面部１４に画定されており、センタリング手段用の当接手段を有利にも構成している。
【００１７】
作動の説明は、図３に示された状態を考慮することによって始まり、図３において、トロリーは、ホイール１６ａ、１６ｂがランプ１５ａ、１５ｂに直面したまま動かないでいる。トロリーがおそらく特に注意を払わないオペレータによってラベリングマシンの近くに持ってこられる後に確立されるこの状態において、スプリング１０は、ロッド６を図３に示される引っ込んだ位置に保ち、この結果、その先端８ａと、要素の完全性にマイナス効果を有し得る雌ねじ部１３ａの第１ねじ切り部との、不意の接触の可能性を防止している。
【００１８】
トロリー１が静止したままの図３の状態において、オペレータは、結果として生じるロッド６の前進を伴ってハンドル７を回し、この結果、雌ねじ部１３ａとの軸アライメントが生み出されるまでのロッド６の回転と共に、接触が先端と雌ねじ部１３ａの第１ねじ切り部との間になされるまで至る、先端８ａのガイド部１３ｂへの摺動が生じて、その後、オペレータがハンドル７を回し、この結果、部分８のねじ切り部の少数、例えば、３つのねじ切り部が、雌ねじ部１３ａの同じ数のねじ切り部に係合するように、さらなるロッド６の前進が生じる。
【００１９】
したがって、図４に説明される状態が、苦も無く実質的に達せられる。なぜなら、トロリーを動かせないままに留めながら、スプリング１０が上述したイベントと共に、ブッシュ１０ａ、１０ｂの間の相互接触が生じるまで、圧縮されるからである。
【００２０】
図４の状態から、オペレータは、雌ねじ部１３ａへのロッド６の部分８の前進的なねじ込みを伴うハンドル７の回転を続行して、トロリー１は、ホイール１６ａ、１６ｂでランプ１５ａ、１５ｂを昇ることによって前進して、この結果、前ホイール３ａ、３ｂがフロアから持ち上げられることが起こり、このように、図５の状態で要求される正確性と共に生じる、係止用の最適な条件に配置される。
【００２１】
実質的に、逆向きの運動は、トロリーを押しのけて使用される。
【００２２】
図６は、本発明の第２の実施形態を示しており、それは、変形点のみが、ロッド６に一体化された当接部の存在によって構成されていることであり、例えば、トロリーの構造体に９ａで枢支されたブッシュ９の両側部に、ロッド６に係止された２つのシーガーリング１９、２０によって構成されており、それは、本発明の動作に明らかに続いて起こるブッシュに対するロッド６の回転動作のみを可能とする。
【００２３】
有利、賢明、又は類似であるとして上述された、本発明の全ての特徴は、等価な特徴によって、欠いている、又は取り換えられるかもしれない。一般的な教示又は特定の実施形態への参照と共に提示された、個々の特徴は、他の実施形態に全て存在してもよく、又はそのような実施形態の特徴に取り換えてもよい。
【００２４】
記載された発明は、幾多の修正および変形を受け入れる余地があり、それらの全ては、添付の請求の範囲の範疇にある。さらに、前詳細は、技術的に同等な要素によって、取り換えられてもよい。
【００２５】
本出願が優先権を主張するイタリア特許出願番号ＶＲ２０１１Ａ０００１４６での開示は、ここに参照して組み込まれている。
【００２６】
請求の範囲で言及された技術的特徴が、参照符合によって、理解され、それら参照符合は、請求の範囲の理解を促進する目的のためだけに盛り込まれ、したがって、そのような参照符合は、そのような参照符合によって例示されるものと同一視される個々の構成の解釈に、如何なる限定的な効果を与えるものではないことは、言うまでもない。
【図１】
0005886954.tif 000002
【図２】
0005886954.tif 000003
【図３】
0005886954.tif 000004
【図４】
0005886954.tif 000005
【図５】
0005886954.tif 000006
【図６】
0005886954.tif 000007